(57)【要約】      （修正有）【課題】長期間にわたり自律的に電力を賄い、２４時間持続的に稼働し、簡易かつ堅牢に取り付け可能で、外部からの悪戯や破壊行為に対して防御可能な遠隔監視装置を提供する。【解決手段】ベースプレート２３と、ベースプレートに固着され支柱１６を嵌合せしめる接続具２２と、支柱の頂部に所定の高さで取り付けられ、透明ボックス１０に収納される撮像機能を備えた多機能双方向通信デバイス１１と、支柱の周面に着脱可能に取り付けられた電源制御部を収納する電源制御ボックス２１と、支柱に着脱可能に取付けられた太陽電池パネル１８とを備えた遠隔監視措置において、接続具は、ソケット形状であって支柱の端部と、それに水平方向に形成した突起部とを所定の深さ嵌め込む鍵穴構造の嵌入孔と、突起部と当接し底部に設けたバネと、ベースプレートに設けたネジ穴と符合し、ボルトでベースプレートに固定するためのネジ穴を備えたフランジとを備える。【選択図】図１
0003185350.tif 000002
【実用新案登録請求の範囲】
【請求項１】
ベースプレートと、前記ベースプレートに固着され支柱を嵌合せしめる接続具１と、前記支柱の頂部に所定の高さで取り付けられる透明ボックスと、前記透明ボックスに収納される撮像機能を備えた多機能双方向通信デバイスと、前記支柱の周面に着脱可能に取り付けられた前記多機能双方向通信デバイスの制御と電源供給を行う電源制御部と、これを収納する電源制御ボックスと、前記支柱に着脱可能に取付けられた太陽電池パネルとを備え、前記接続具１は、ソケット形状であって、前記支柱の端部と、前記端部に形成された突起部とを所定の深さに嵌め込む鍵穴構造の嵌入孔と、前記突起部と当接し底部に設けられたバネと、前記ベースプレートに設けられたネジ穴と符合し、ボルトにより前記ベースプレートに固定するためのネジ穴を備えたフランジ
とを備えたことを特徴とする。
遠隔監視装置。
【請求項２】
前記透明ボックスの表面は、防塵クリアーコート処理されていることを特徴とする請求項１に記載の遠隔監視装置。
【請求項３】
前記多機能双方向通信デバイスが不審者を検知したときに、威嚇警報音を鳴動する威嚇警報器を備えたことを特徴とする請求項１又は２に記載の遠隔監視装置。
【請求項４】
前記多機能双方向通信デバイスを収納している前記透明ボックスの高さを自在に調節可能な手段を備えたことを特徴とする請求項１から３のいずれかに記載の遠隔監視装置。
【請求項５】
前記太陽電池パネルの傾斜角度、及び方位を自在に調節可能な手段を備えたことを特徴とする請求項１から４のいずれかに記載の遠隔監視装置。
【請求項６】
前記電源制御部は、無停電電源装置を備えていることを特徴とする請求項１から５のいずれかに記載の遠隔監視装置。
【請求項７】
支柱と、前記支柱の頂部に所定の高さで取り付けられる太陽電池パネルと、前記支柱の周面に取り付けられた透明ボックスと、前記透明ボックスに収納される撮像機能を備えた多機能双方向通信デバイスと、前記支柱の端部と前記多機能双方向通信デバイスの制御と電源供給を行う電源制御部を収納する電源制御ボックスとを嵌合せしめる接続具２と、前記接続具２と固着し、前記多機能双方向通信デバイスの制御と電源供給を行う電源制御部とを収納する電源制御ボックスと、前記電源制御ボックスと固着するベースプレートとを備え、前記接続具２は、ソケット形状であって、前記支柱の端部と、前記端部に形成された突起部とを所定の深さに嵌め込む鍵穴構造の嵌入孔と、前記突起部と当接し底部に設けられたバネと、周面に設けられ、前記突起部を固定するロックレバー
とを備えたことを特徴とする遠隔監視装置である。
【請求項８】
前記透明ボックスの表面は、防塵クリアーコート処理されていることを特徴とする請求項１に記載の遠隔監視装置。
【請求項９】
前記多機能双方向通信デバイスが不審者を検知したときに、威嚇警報音を鳴動する威嚇警報器を備えたことを特徴とする請求項８又は９に記載の遠隔監視装置。
【請求項１０】
前記多機能双方向通信デバイスを収納している前記透明ボックスの高さを自在に調節可能な手段を備えたことを特徴とする請求項７から９のいずれかに記載の遠隔監視装置。
【請求項１１】
前記太陽電池パネルの傾斜角度、及び方位を自在に調節可能な手段を備えたことを特徴とする請求項７から１０のいずれかに記載の遠隔監視装置。
【請求項１２】
前記電源制御部は、無停電電源装置を備えていることを特徴とする請求項７から１１のいずれかに記載の遠隔監視装置。
【考案の詳細な説明】
【技術分野】
【０００１】
本考案は、双方向で通信可能な遠隔監視装置に関し、特に、商用電源が利用できない屋外においても、長期間にわたり自立的に電力を賄い、また簡易に取り付け可能で、かつ悪戯され難い遠隔監視装置に関する。
【背景技術】
【０００２】
遠隔監視装置は、インターネットやモバイル通信ネットワークの普及・拡大に伴い、様々な分野・場所において使用されるようになってきている。下記特許文献１には、携帯電話を用いたロボットに関し、例えば家庭内、オフィス内などを移動・監視し、異常があった場合に、所定の人、または所定の機関に通報する監視用ロボットに関する技術が開示されている。この特許文献１は、コンピュータ機能を備えた携帯電話を使用することで、安価に監視用ロボットが作成できる技術を開示している。
【０００３】
また、下記非特許文献１は、フィールド（農場）の環境や、農業の植物の状況をモニタリング、監視等を行うセンシング機能と通信技術を一体化したモニタリングデバイスに関するものであり、農場環境を計測するとともに画像を記録することで、データに基づく栽培の見える化を可能とする遠隔監視装置（フィールドサーバ）に関する技術を開示している。
【０００４】
また、下記非特許文献２の遠隔監視装置は、画像データの他、警報やアナログデータ入力・制御出力接点を備え、データ転送にはＦＯＭＡ網や無線ＬＡＮが利用可能である。この非特許文献２は、電源部には太陽電池パネルを使用することで、通信ケーブルと電源ケーブルの敷設を不要としている他、小型軽量とすることで、高所や従来設置できなかった場所にも設置可能とし、三脚等に取り付けることで容易に移動でき、簡易的に設置し利用することができる技術を開示している。
【０００５】
しかし、これらの遠隔監視装置はいずれも、長期間にわたり自立的に電力を賄い２４時間の可動が確保されない、という問題がある。例えば、下記特許文献１が開示する技術は商用電源が確保できなければ稼働できない。また、下記非特許文献１が開示する技術も同様に商用電源が不可欠である。下記非特許文献２は太陽電池パネルを使用しているので、太陽光を受光できるときは電力を自給できるが、天候により発電量が変化し、また夜間は発電できないため２４時間持続的に稼働することはできない。
【０００６】
さらに、長期間にわたり安定して稼働するには、外部からの悪戯や妨害・破壊行為に対する防御対策が不可欠である。しかし、例えば非特許文献２が開示する技術は、単に支柱に太陽電池パネルを取り付け、また監視カメラを収納したボックスや、それらを制御する機器を収納するボックスを取り付けるだけにすぎない。そのため、例えば悪意のある者が、監視カメラや太陽電池パネルを破壊しようとすれば容易に破壊できる、という問題がある。
【０００７】
また、そのような行為を阻止するには、その実行者を特定できるようにすることが抑止力となるが、そのような機能は備えていない。さらに、例えば非特許文献１のような農作物の監視は、季節性があり年間を通して、全く同一の監視を行う必要はなく、必要に応じて機器の脱着を簡便かつ堅牢に行えることが運用コストを削減でき好ましいが、そのような手段・機能を備えてはいない。
【先行技術文献】
【特許文献】
【０００８】
【特許文献１】特開２０１０−１８２１９３号公報
【非特許文献１】http://www.elab-experience.com/fieldserver：フィールドサーバ
【非特許文献２】http://etrust.ne.jp/html/products.html：遠隔監視システム
【考案の概要】
【考案が解決しようとする課題】
【０００９】
そこで、本考案は、かかる従来技術の問題点に鑑みなされたもので、長期間にわたり自立的に電力を賄い、２４時間持続的に稼働し、簡易かつ堅牢に取り付け可能で、外部からの悪戯や破壊行為に対して防御可能な遠隔監視装置を提供することにある。
【課題を解決するための手段】
【００１０】
請求項１に記載の考案は、ベースプレートと、前記ベースプレートに固着され支柱を嵌合せしめる接続具１と、前記支柱の頂部に所定の高さで取り付けられる透明ボックスと、前記透明ボックスに収納される撮像機能を備えた多機能双方向通信デバイスと、前記支柱の周面に着脱可能に取り付けられた前記多機能双方向通信デバイスの制御と電源供給を行う電源制御部と、これを収納する電源制御ボックスと、前記支柱に着脱可能に取付けられた太陽電池パネルとを備え、前記接続具１は、ソケット形状であって、前記支柱の端部と、前記端部に形成された突起部とを所定の深さに嵌め込む鍵穴構造の嵌入孔と、前記突起部と当接し底部に設けられたバネと、前記ベースプレートに設けられたネジ穴と符合し、ボルトにより前記ベースプレートに固定するためのネジ穴を備えたフランジ
とを備えたことを特徴とする遠隔監視装置である。
【００１１】
請求項２に記載の考案は、請求項１に記載の遠隔監視装置であって、前記透明ボックスの表面は、防塵クリアーコート処理されていることを特徴とする。
【００１２】
請求項３に記載の考案は、  請求項１又は２に記載の遠隔監視装置であって、前記多機能双方向通信デバイスが不審者を検知したときに、威嚇警報音を鳴動する威嚇警報器を備えたことを特徴とする。
【００１３】
請求項４に記載の考案は、  請求項１から３のいずれかに記載の遠隔監視装置であって、前記多機能双方向通信デバイスを収納している前記透明ボックスの高さを自在に調節可能な手段を備えたことを特徴とする。
【００１４】
請求項５に記載の考案は、請求項１から４のいずれかに記載の遠隔監視装置であって、前記太陽電池パネルの傾斜角度、及び方位を自在に調節可能な手段を備えたことを特徴とする。
【００１５】
請求項６に記載の考案は、請求項１から５のいずれかに記載の遠隔監視装置であって、前記電源制御部は、無停電電源装置を備えていることを特徴とする。
【００１６】
請求項７に記載の考案は、支柱と、前記支柱の頂部に所定の高さで取り付けられる太陽電池パネルと、前記支柱の周面に取り付けられた透明ボックスと、前記透明ボックスに収納される撮像機能を備えた多機能双方向通信デバイスと、前記支柱の端部と前記多機能双方向通信デバイスの制御と電源供給を行う電源制御部を収納する電源制御ボックスとを嵌合せしめる接続具２と、前記接続具２と固着し、前記多機能双方向通信デバイスの制御と電源供給を行う電源制御部とを収納する電源制御ボックスと、前記電源制御ボックスと固着するベースプレートとを備え、前記接続具２は、ソケット形状であって、前記支柱の端部と、前記端部に形成された突起部とを所定の深さに嵌め込む鍵穴構造の嵌入孔と、
前記突起部と当接し底部に設けられたバネと、周面に設けられ、前記突起部を固定するロックレバーとを備えたことを特徴とする遠隔監視装置である。
【００１７】
請求項８に記載の考案は、請求項７に記載の遠隔監視装置であって、前記透明ボックスの表面は、防塵クリアーコート処理されていることを特徴とする。
【００１８】
請求項９に記載の考案は、請求項７又は８に記載の遠隔監視装置であって、前記多機能双方向通信デバイスが不審者を検知したときに、威嚇警報音を鳴動する威嚇警報器を備えたことを特徴とする。
【００１９】
請求項１０に記載の考案は、請求項７から９のいずれかに記載の遠隔監視装置であって、前記多機能双方向通信デバイスを収納している前記透明ボックスの高さを自在に調節可能な手段を備えたことを特徴とする。
【００２０】
請求項１１に記載の考案は、請求項７から１０のいずれかに記載の遠隔監視装置であって、前記太陽電池パネルの傾斜角度、及び方位を自在に調節可能な手段を備えたことを特徴とする。
【００２１】
請求項１２に記載の考案は、請求項７から１１のいずれかに記載の遠隔監視装置であって、前記電源制御部は、無停電電源装置を備えていることを特徴とする。
【図面の簡単な説明】
【００２２】
【図１】本考案に係る第1の実施形態を示した図である。
【図２】本考案に係る第２の実施形態を示した図である。
【図３】本考案に係る第１の実施形態、及び第２の実施形態の一部の詳細を示した図である。
【図４】本考案に係る制御部のブロック図である。
【図５】本考案に係る監視制御のフローチャート図である。
【考案を実施するための形態】
【００２３】
本考案の一実施形態について、図面を参照しながら詳細に説明するが、本考案はこれに限定されるものではない。図１は、本考案に係る第１の実施形態を示した図である。この実施の形態では、支柱１６の頂部に透明カバー１０に収納された多機能双方向通信装置１１（スマートフォン１１）が設置されている。スマートフォン１１は回転台１２により３６０度自在に回転することができる。また、高さ調節部１４により、地面からの高さを調節できるように構成されている。スマートフォン１１の回転及び高さは、スマートフォン１１を介して遠隔地からの指令を受け、通信制御用ボックス２０に収納されている通信機器により自在に制御することができる。
【００２４】
スマートフォン１１の近傍には警報ライト１３が設置されている。この警報ライト１３は、遠隔監視装置１に不審者や侵入動物等（以下、侵入物）が近づいてきたとき、後述する検出方法（図５参照）により検知した場合に、それを威嚇するためのものである。警報ライト１３の点滅は、スマートフォン１１を介して遠隔地からの指示を受け、通信制御部を介して行われる。
【００２５】
高さ調節部１４の側部には高さ調節ネジ１５が設けられている。この高さ調節ネジ１５によりスマートフォン１１を所定の高さに固定できる。なお、高さ調節部１４にスマートフォン１１は着脱可能に設置されている。
【００２６】
支柱１６の周面には太陽電池パネル１８を取り付ける傾斜回転台１７が設置されている。この傾斜回転台１７は左右独立に傾斜及び回転できるように構成されている。このような構成とすることで、設置場所に応じて、太陽からの受光量が最大となるように太陽電池パネル１８の傾斜角度、方位角度をセッティングできる。また、より効率的に太陽光発電するには太陽光自動追尾方式にすることは好ましく、その制御アプリケーションをスマートフォン１１に持たせることは好ましい。なお、太陽電池パネル１８は傾斜回転台１７に着脱可能に設置されていることは好ましい。
【００２７】
この実施の形態では、侵入物の威嚇のため、警報ライト１３に加え、警報スピーカ１９を備えている。警報スピーカ１９は警報ライト１３と連動し鳴動することで、より効果的に侵入物を威嚇でき、遠隔監視装置１を悪戯や破壊から護ることができる。警報スピーカ１９は遠隔地から、警告メーセージを拡声することもできる。また、遠隔監視装置１は不審物の映像を録画・伝送でき、この機能を活用することで不審物の特定ができ、抑止力として活用することができる。
【００２８】
支柱１６をベースプレート２３に固着させているのが接続具２２（ワンタッチソケット２２）である。本考案の特徴の一つは、このワンタッチソケット２２により、支柱１６とベースプレート２３とをワンタッチで嵌合できるところにある。商用電源が利用できないような不便な場所でも、簡単かつ堅牢に遠隔監視装置１の設置を可能ならしめているのが、この接続具２２である。接続具２２の詳細については後述する（図３参照）。
【００２９】
図２は、本考案に係る第２の実施形態を示した図である。この実施の形態では、支柱５７の頂部に太陽電池パネル５０が設置されている。太陽電池パネル５０は、設置場所に応じて、太陽からの受光量が最大となるように太陽電池パネル５０の傾斜角度、方位角度が最適になるように調整可能に設置されている。また、太陽電池パネル５０は支柱５７に着脱可能に設置されている。
【００３０】
太陽電池パネル５０の下には、透明カバーを備えた高さ調節部５２に収納された多機能双方向通信装置５１（スマートフォン５１）が設置されている。スマートフォン５１は回転台（モータ）５６により３６０度自在に回転することができる。また、高さ調節部５２により地面からの高さを調節できるように構成されている。スマートフォン５１の回転及び高さの調節は、スマートフォン５１を介して遠隔地から通信制御部用ボックス６３に収納されている通信機器より自在に制御することができる。通信制御部用ボックス６３には  バッテリー６１、電源制御部６２が収納されている。
【００３１】
スマートフォン５１の近傍には警報ライト５３が設置されている。この警報ライト５３は、遠隔監視装置２に侵入物が近づいてきたとき、後述する検出方法（図５参照）により検知した場合、それらを威嚇する。この警報ライトの点滅も同様にスマートフォン５１を介して遠隔地から通信制御により行われる。
【００３２】
高さ調節部５２の側部には高さ調節ネジ５５のネジ穴５４が設けられている。この高さ調節ネジ５５によりスマートフォン５１を所定の高さに固定する。なお、スマートフォン５１、太陽電池パネル５０、警報ライト５３、警報スピーカ５８など、ほとんどの機器が着脱可能に設置されている。このように着脱可能にしておくことで、遠隔監視が必要な時期に限定して必要な機器を設置できる。これにより、例えば、農業生産物の収穫時期に合わせて、遠隔監視装置を設置することが可能となり、遠隔監視の運用等に要するコストを低減することができる。
【００３３】
警報スピーカ５８は、警報ライト５３と連動し鳴動することで、侵入物をより効果的に威嚇でき、遠隔監視装置２を悪戯や破壊から護ることができる。また、警報スピーカ５８は遠隔地から音声を拡声することもできる。スマートフォン５１と通信制御部６３とにより、不審物の映像を録画・伝送するとともに、この機能を活用することで、不審物の特定を行い、またそれらのデータを活用することで抑止力としての役割を果たすことができる。
【００３４】
支柱５７を制御ボックス６０に固着させているのが接続具５９（ワンタッチソケット５９）である。本考案は、このワンタッチソケット５９により、支柱５７と制御ボックス６０とをワンタッチで嵌合できるところにある。商用電源が利用できないような不便な場所でも、簡単かつ堅牢に遠隔監視装置１の設置を可能ならしめているのが、この接続具５９である。接続具５９の詳細については後述する（図３参照）。
【００３５】
制御ボックス６０は架台６４と一体的に形成されており、架台６４の高さを調整することで、遠隔監視装置２の全体高さの調整を行うこともできる。ベースプレート６５と架台６４とはベースプレートに埋め込まれたボルト等により、堅牢に固着するのが好ましい。
【００３６】
図３（ａ）はスマートフォン１１を収納する透明カバー１０とその内部について示した図である。透明カバー１０は、プラスチック等の透明なアクリル樹脂などで良いが、防塵クリアーコートでその表面を処理することで、長期間にわたり外面の汚れを防止することが好ましい。また、スマートフォン１１は、スマートフォン用カバー１１０で覆うことが好ましい。また、スマートフォン１１のカメラ全面には結露防止用カバー１２０を更に設けることが好ましい。結露防止用カバー１２０は断熱層を持った構造のものであることが好ましい。
【００３７】
図３（ｂ）はワンタッチソケット２２の詳細を示した図である。支柱１６の端部に設けられたフランジ２２０のボルト孔２２２と、ソケット２２４に設けられたボルト孔２２３と合わせ、支柱１６の端部に設けられた突起部（カム２２７）をソケット２２４に形成されている溝に沿って差し込む。
【００３８】
図３（ｂ‘）は、図３（ｂ）の断面とそれを上から見た上面図である。カム２２７はソケット２２４に形成されている溝にそって図３（ｂ’）の２２８のラインより下に押し込むことができる。バネ２２５を抑えながら、支柱１６を回転させることで、カム２２７はソケット２２４に形成されている溝から外れ、バネ２２５の反発力で２２８のラインに押し上げられ固定される。その後、フランジのボルト孔２２２にボルト２２１を挿入し締め付けることで最終固定となる。
【００３９】
図３（ｃ）はワンタッチソケット５９の詳細を示した図である。基本的な構造はワンタッチソケット２２と同じであるが、ワンタッチソケット２２が、最終固定をロックボルト２２１で固定するのに対し、ワンタッチソケット５９はロックレバー５９で行うところが相違する。
【００４０】
図４は本考案に係る制御部のブロック図である。センサー部１０１はスマートフォン１１のカメラであるが、カメラの他、例えば圧力計、温度計、振動計、パーティクルカウンター等の様々なセンサーが備えることは好ましい。センサー部１０１からの信号は中央制御部１０２に送られる。
【００４１】
中央制御部１０２は遠隔監視装置の全体管理を行うプログラム、電源の監視を行うプログラム、通信制御を行うプログラム、不審物の検出や駆動部の制御を行うプログラムを備えている。例えば、センサー部１０１から送られてきた画像信号は、中央制御部１０２により通信部１０３により遠隔地に伝送される。また遠隔地からの受信した指令は通信部１０３を通して中央制御部１０２に送られ、警報部１０５、架台駆動部１０６を制御する。
【００４２】
無停電電源部１０４は、太陽電池パネル１０７からの電力を蓄電するとともに、中央制御部１０４、通信部１０３等に電力を供給する。本実施例では発電装置は太陽電池パネル１０７であるが、太陽電池パネルに代えて、風力発電装置などの再生可能エネルギーを用いても良い。
【００４３】
図５は本考案に係る、不審物の侵入を検知するフローチャート図である。監視カメラにより基本画像（Ａ画像）を取込み（Ｓ１）、その画像と比較する比較画像（Ｂ画像）を取り込む（Ｓ２）。Ａ画像とＢ画像とを比較し（Ｓ３）、画像が一致した場合は不審物の侵入がないので、ステップ１（Ｓ１）に戻る。
【００４４】
画像が不一致の場合は不審物の侵入があると判断し（Ｓ４）、スマートフォンが発信し（Ｓ５）、Ｂ画像を伝送する（Ｓ６）。次にスマートフォンはＢ画像を受信した遠隔地から指令を受信し（Ｓ７）、その指令を中央制御部に送り、中央制御部は指令に基づいて指示動作を実施させる（Ｓ８）。そして、指示動作が実施されたか否かを判断し（Ｓ９）、実施していなければ指示動作実施に戻り（Ｓ８）、実施されていれば監視を継続するか否かを判断し（Ｓ１０）、監視を継続する場合はＣ画像を取込（Ｓ１１）、その後、新たな指示を出すか否かを判断し（Ｓ１２）、出さない場合はステップ１に戻る。監視を終了する場合は監視機能を停止する（ＥＮＤ）。
【符号の説明】
【００４５】
１，２  遠隔監視装置
１０    透明カバー
１１    スマートフォン
１２    スマートフォン回転台
１３    警報ライト
１４    高さ調節部
１５    高さ調節ネジ
１６    支柱
１７    傾斜回転台
１８    太陽電池パネル
１９    警報スピーカ
２０    通信制御部用ボックス
２１    電源制御部用ボックス
２２    接続具（ワンタッチソケット）
２３    ベースプレート
５０    太陽電池パネル
５１    スマートフォン
５２    透明カバー
５３    警報スピーカ
５４    ネジ穴
５５    高さ調節ネジ
５６    スマートフォン回転用モータ
５７    支柱
５８    警報スピーカ
５９    接続具（ワンタッチソケット）
６０    制御ボックス
６１    バッテリー
６２    電源制御部
６３    通信制御部用ボックス
６４    架台
６５    ベースプレート
１１０  スマートフォン用カバー
１２０  結露防止用カバー
２２０  フランジ
２２１  ロックボルト
２２２  ボルト貫通孔
２２３  ボルト孔
２２４  ソケット
２２５  スプリング
２２６  ロック
２２７  カム
５９１  ロックレバー
５９２  バネ
【図１】
0003185350.tif 000003
【図２】
0003185350.tif 000004
【図３】
0003185350.tif 000005
【図４】
0003185350.tif 000006
【図５】
0003185350.tif 000007
【手続補正書】
【提出日】平成25年6月4日(2013.6.4)
【手続補正１】
【補正対象書類名】実用新案登録請求の範囲
【補正対象項目名】全文
【補正方法】変更
【補正の内容】
【実用新案登録請求の範囲】
【請求項１】
ベースプレートと、前記ベースプレートに固着され支柱を嵌合せしめる接続具と、前記支柱の頂部に所定の高さで取り付けられる透明ボックスと、前記透明ボックスに収納される撮像機能を備えた多機能双方向通信デバイスと、前記支柱の周面に着脱可能に取り付けられた前記多機能双方向通信デバイスの制御と電源供給を行う電源制御部と、これを収納する電源制御ボックスと、前記支柱に着脱可能に取付けられた太陽電池パネルとを備え、前記接続具は、ソケット形状であって、前記支柱の端部と、前記端部に形成された突起部とを所定の深さに嵌め込む鍵穴構造の嵌入孔と、前記突起部と当接し底部に設けられたバネと、前記ベースプレートに設けられたネジ穴と符合し、ボルトにより前記ベースプレートに固定するためのネジ穴を備えたフランジ
とを備えたことを特徴とする遠隔監視装置。
【請求項２】
前記透明ボックスの表面は、防塵クリアーコート処理されていることを特徴とする請求項１に記載の遠隔監視装置。
【請求項３】
前記多機能双方向通信デバイスが不審者を検知したときに、威嚇警報音を鳴動する威嚇警報器を備えたことを特徴とする請求項１又は２に記載の遠隔監視装置。
【請求項４】
前記多機能双方向通信デバイスを収納している前記透明ボックスの高さを自在に調節可能な手段を備えたことを特徴とする請求項１から３のいずれかに記載の遠隔監視装置。
【請求項５】
前記太陽電池パネルの傾斜角度、及び方位を自在に調節可能な手段を備えたことを特徴とする請求項１から４のいずれかに記載の遠隔監視装置。
【請求項６】
前記電源制御部は、無停電電源装置を備えていることを特徴とする請求項１から５のいずれかに記載の遠隔監視装置。
【請求項７】
支柱と、前記支柱の頂部に所定の高さで取り付けられる太陽電池パネルと、前記支柱の周面に取り付けられた透明ボックスと、前記透明ボックスに収納される撮像機能を備えた多機能双方向通信デバイスと、前記支柱の端部と前記多機能双方向通信デバイスの制御と電源供給を行う電源制御部を収納する電源制御ボックスとを嵌合せしめる接続具と、前記接続具と固着し、前記多機能双方向通信デバイスの制御と電源供給を行う電源制御部とを収納する電源制御ボックスと、前記電源制御ボックスと固着するベースプレートとを備え、前記接続具は、ソケット形状であって、前記支柱の端部と、前記端部に形成された突起部とを所定の深さに嵌め込む鍵穴構造の嵌入孔と、前記突起部と当接し底部に設けられたバネと、周面に設けられ、前記突起部を固定するロックレバー
とを備えたことを特徴とする遠隔監視装置。
【請求項８】
前記透明ボックスの表面は、防塵クリアーコート処理されていることを特徴とする請求項７に記載の遠隔監視装置。
【請求項９】
前記多機能双方向通信デバイスが不審者を検知したときに、威嚇警報音を鳴動する威嚇警報器を備えたことを特徴とする請求項７又は８に記載の遠隔監視装置。
【請求項１０】
前記多機能双方向通信デバイスを収納している前記透明ボックスの高さを自在に調節可能な手段を備えたことを特徴とする請求項７から９のいずれかに記載の遠隔監視装置。
【請求項１１】
前記太陽電池パネルの傾斜角度、及び方位を自在に調節可能な手段を備えたことを特徴とする請求項７から１０のいずれかに記載の遠隔監視装置。
【請求項１２】
前記電源制御部は、無停電電源装置を備えていることを特徴とする請求項７から１１のいずれかに記載の遠隔監視装置。